(57)【要約】      （修正有）【課題】使用とメンテナンスの利便性を向上させられる拡張電源コネクターを提供する。【解決手段】拡張電源コネクター３は、フレーム体３１、フレーム体３１内に設置する電源コネクター３２、フレーム体３１上に係合する複数の型台３３を備え、各型台３３はフレーム体３１上に組合せることができ、これにより拡張電源コネクター３の外形は多辺形を呈し、各型台３３上のコンセント３３２の個数を調整し易くなり、同時に、相互に隣接するコンセント３３２間の応用空間を拡大することができ、より大きなプラグを使用可能となる。さらにコンセント３３２は型台３３を通してフレーム体３１に設置する設計であるため、複数のコンセント３３２の内の１個が故障しても、型台３３を取り外して交換するだけで、新しいコンセント３３２に換えることができ、使用とメンテナンスの利便性を向上させることができる。【選択図】図３
0003181341.tif 000002
【実用新案登録請求の範囲】
【請求項１】
拡張電源コネクターは、フレーム体、前記フレーム体内に設置する電源コネクター、前記フレーム体上に係合する複数の型台を備え、
前記フレーム体上には、固定器を設置し、
前記各型台上には、本体を備え、前記本体上には、少なくとも１個のコンセントを開設し、前記本体上には、前記固定器と接合する連接部を設置し、
前記各本体を、相互に組合わせた後、前記各本体の外に露出する端縁面は、前記各コンセントの設置位置で、
同時に、前記各端縁面は、さまざまな傾斜角度で相互に接合することを特徴とする拡張電源コネクター。
【請求項２】
前記フレーム体上には、サポートフレームを延伸して設置することを特徴とする請求項１に記載の拡張電源コネクター。
【請求項３】
前記電源コネクター上には、安全スイッチを設置することを特徴とする請求項１或いは２に記載の拡張電源コネクター。
【考案の詳細な説明】
【技術分野】
【０００１】
本考案は拡張器に関し、特に拡張電源コネクターに関する。
【背景技術】
【０００２】
科学技術と経済の発展に従い、家庭でもオフィスでも、コンピューター、テレビ、電気鍋、扇風機、電気スタンドなどの電気製品は欠かせない存在となっている。これら電気製品は電気を必要とするため、一般的な室内では、壁面に設置するコンセントの数が足りない状況が起きている。そのため、拡張電源コネクターを用い、より多くの電気製品を接続するようになっている。
【０００３】
図１に示す従来の拡張電源コネクター１は、細長い形状の台体１１を備える。コンセント１２は、間隔を開けて、台体１１上に複数設置する。コンセント１２を利用し、各種電気製品を連接して使用する。
【０００４】
しかし、実際の使用においては、以下のような欠点が存在する。
1.図２に示すように、各コンセント１２間には、一定の応用空間があるが、より大きなプラグ２(変圧器を備えるプラグなど)を使用する時には、プラグ２の体積は、他のコンセント１２を覆ってしまい、他のコンセント１２を使用することができなくなってしまう。
2.上記した状況を改善するため、各コンセント１２間の応用空間を広げようとすれば、台体１１の長さを拡大しなければならないため、拡張電源コネクター１の体積を増大させてしまう。これでは、材料コストが拡大するだけでなく、コンパクトで薄く軽く、を追求する現代のトレンドにも合わず、市場競争において不利である。
3.各コンセント１２と台体１１は一体設計であるため、コンセント１２が故障しても交換することができない。よって、使用可能なコンセント１２が減少し使用において不便であるばかりか、拡張電源コネクター１を廃棄しようとすれば、壊れていないコンセント１２は使用可能であるため、資源の浪費となってしまう。
【考案の概要】
【考案が解決しようとする課題】
【０００５】
本考案の目的は、他のコンセントに影響を及ぼさない状況において、大きな体積のプラグを挿入して接続でき、同時にコンセントが損壊した時には、迅速に交換が可能で、使用とメンテナンスの利便性を効果的に拡大することができる拡張電源コネクターを提供することである。
【課題を解決するための手段】
【０００６】
上述の目的を達成するため、本考案は下記の拡張電源コネクターを提供する。
拡張電源コネクターは、フレーム体、該フレーム体内に設置する電源コネクター、該フレーム体上に係合する複数の型台を備え、該フレーム体上には、固定器を設置する。
該各型台上には、本体を備え、該本体上には、少なくとも１個のコンセントを開設し、該本体上には、該固定器と接合する連接部を設置し、該各本体を、相互に組合わせた後、該各本体の外に露出する端縁面は、該各コンセントの設置位置で、同時に、該各端縁面は、さまざまな傾斜角度で相互に接合する。
これにより、拡張電源コネクターの外形は多辺形を呈し、各型台上のコンセントの個数を調整し易くなり、同時に、相互に隣接するコンセント間の応用空間を拡大することができ、より大きなプラグを使用可能となり、さらに、該コンセントは、該型台を通してフレーム体に設置する設計であるため、複数のコンセントの内の１個が故障しても、該型台を取り外して交換するだけで、新しいコンセントに換えることができ、使用とメンテナンスの利便性を向上させることができる。
【考案の効果】
【０００７】
本考案の拡張電源コネクターは、コンセントを型台上に設置し、型台はフレーム体上に組合わせ、しかも相互に隣接する各コンセントの端縁面は異なる傾斜角度で相互に接合するため、型台を組合せ後の拡張電源コネクターは、多辺形を呈し、各コンセントの個数を調整し易くなり、同時に、相互に隣接するコンセント間の応用空間を拡大することができ、より大きなプラグを使用可能となる。
さらに、各コンセントは、フレーム体に設置するため、複数のコンセントの内の１個が故障しても、故障したコンセントを、フレーム体から取り外し、新しいコンセントを組合わせるだけで良いため、使用とメンテナンスの利便性を向上させることができる。
【図面の簡単な説明】
【０００８】
【図１】従来の拡張電源コネクターの模式図である。
【図２】従来の拡張電源コネクターの使用状態図である。
【図３】本考案第一実施例の立体図である。
【図４】本考案第一実施例の別の状態の立体図である。
【図５】本考案第一実施例の使用状態図である。
【図６】本考案第一実施例の使用状態図である。
【図７】本考案第二実施例の立体図である。
【図８】本考案第三実施例の立体図である。
【図９】本考案第四実施例の立体図である。
【考案を実施するための形態】
【０００９】
図３に示すように、本考案第一実施例の拡張電源コネクター３は、フレーム体３１、フレーム体３１内に設置する電源コネクター３２、フレーム体３１上に係合する複数の型台３３を備える。
【００１０】
フレーム体３１上には、固定器３１１を設置する。各型台３３上には、本体３３１を備える。
本体３３１上には、少なくとも１個のコンセント３３２を開設する。本体３３１上には、固定器３１１と接合する連接部３３３を設置する。各本体３３１を、相互に組合わせた後、各本体３３１の外に露出する端縁面Ｓは、各コンセント３３２の設置位置である。同時に、相互に隣接する各端縁面Ｓは、さまざまな傾斜角度で相互に接合し、これにより拡張電源コネクター３の外形は、多辺形を呈する。本実施例中では、八角形を例として示す。本実施例中では、各型台３３を組合せ後は、２個の端縁面Ｓを備え、各１個の端縁面Ｓには、１個のコンセント３３２を設置することができる。これにより、拡張電源コネクター３は、プラグ(図示なし)連接を提供するための運用空間を広げることができる。
【００１１】
電源コネクター３２と、各コンセント３３２との間には、適時に安全スイッチ３５を増設することができる。しかも、安全スイッチ３５は、フレーム体３１上に設置し、コンセント３３２と電源コネクター３２との連接をコントロールする。拡張電源コネクター３を、床面に安定的に置き、或いは天井及び壁面に安定的に固定可能とするため(図４は、壁面に固定する)、フレーム体３１上には、適時にサポートフレーム３４を設置し、サポートフレーム３４により、設置や固定を行うことができる。本実施例では、サポートフレーム３４を床面に置く状況を例として、以下に説明する。
【００１２】
図５に示すように、各型台３３を組合わせた後、相互に隣接する端縁面Ｓは、さまざまな傾斜角度の接合を呈する。さらに、コンセント３３２は、端縁面Ｓ上に設置するため、組合せ後は、多辺形の形態を形成し、相互に隣接する２個のコンセント３３２間の応用空間を効果的に拡大することができる。これにより、体積の大きなプラグ４を複数使用する際にも、プラグ４の体積が、他のコンセント３３２の使用に影響を及ぼすことはないため、拡張電源コネクター３中のコンセント３３２には、同時に、各種大きさのプラグ４を挿入して接続することができ、使用の利便性を拡大することができる。
【００１３】
同時に、各コンセント３３２を多辺形に配列するため、拡張電源コネクター３は、体積を増大、或いは長さを延長しなくとも、相互に隣接する２個のコンセント３３２間の応用空間を拡大することができる。こうして、拡張電源コネクター３は、コンパクトな体積で、より多くのコンセント３３２設計を提供することができ、材料コストを節減でき、コンパクトで薄く軽くという、現代人のニーズを満たすことができる。
【００１４】
図６に示すように、コンセント３３２は、型台３３の本体３３１上に設置し、型台３３は、フレーム体３１上に組合わせるため、型台３３は、フレーム体３１から取り外し、或いは組合わせることができる。よって、複数のコンセント３３２の内の１個が損壊した場合にも、故障したコンセント３３２を、直接交換することができ、使用とメンテナンスの利便性を効果的に拡大することができる。
【００１５】
図７に示すように、本考案第二実施例において、拡張電源コネクター３は、フレーム体３１、電源コネクター３２、型台３３などの構造を備える。しかも、上記した構造の作用、効果は、第一実施例と相同であるが、第二実施例では特に、電源コネクター３２上に、安全スイッチ３５を設置する。安全スイッチ３５は、例として、サポートフレーム３４に設置する。よって、使用時には、安全スイッチ３５を通して、各コンセント３３２と電源コネクター３２との連接をコントロールし、これによりコンセント３３２への電源供給を制御する。こうして、使用者は、安全スイッチ３５を通して、コンセント３３２への電源供給を直接制御でき、使用の利便性を拡大することができる。
【００１６】
図８に示すように、本考案第三実施例において、拡張電源コネクター３は、フレーム体３１、電源コネクター３２、型台３３などの構造を備える。しかも、上記した構造の作用、効果は、第一実施例と相同であるが、第三実施例では特に、型台３３上に、サポートフレーム３４、フレーム体３１を設置する。しかも、フレーム体３１の他面上には、複数の型台３３を係合することができ、これにより図に示すような重なった形態を呈することができる。こうして、限られたスペース内で、より多くのコンセント３３２を使用に供することができ、最大の空間効果を発揮することができる。
【００１７】
図９に示すように、本考案第四実施例において、本実施例の拡張電源コネクター３は、フレーム体３１、電源コネクター３２、型台３３などの構造を備える。しかも、上記した構造の作用、効果は、第一実施例と相同であるが、第三実施例では特に、各型台３３は、多辺形体を呈する。
型台３３は、外に露出する端縁面Ｓを備え、コンセント３３２を設置できる他、端面Ｓ１を備え、軸方向に設置する端縁面Ｓと相対設置を呈する。各型台３３を組合わせた後、各端面Ｓ１は相互に取り囲み、三角空間を形成し、これに電源コネクター３２を収容して設置することができる。よって、軸方向に設置する相互に隣接する２個のコンセント３３２間の応用空間は拡大し、安全スイッチ３５を対応させて使用する際には、コンセント３３２の電源出力は、確実にコントロール及び掌握され、使用の利便性と安全性を向上させることができる。
【００１８】
本考案の拡張電源コネクターは、コンセントを型台上に設置し、型台はフレーム体上に組合わせ、しかも相互に隣接する各コンセントの端縁面は異なる傾斜角度で相互に接合するため、型台を組合せ後の拡張電源コネクターは、多辺形を呈し、各コンセントの個数を調整し易くなり、同時に、相互に隣接するコンセント間の応用空間を拡大することができ、より大きなプラグを使用可能となる。
さらに、各コンセントは、フレーム体に設置するため、複数のコンセントの内の１個が故障しても、故障したコンセントを、フレーム体から取り外し、新しいコンセントを組合わせるだけで良いため、使用とメンテナンスの利便性を向上させることができる。
【００１９】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２０】
３  拡張電源コネクター
３１  フレーム体
３２  電源コネクター
３３  型台
３１１  固定器
３３１  本体
３３２  コンセント
３３３  連接部
３４  サポートフレーム
３５  安全スイッチ
４  プラグ
Ｓ  端縁面
Ｓ１  端面
【図１】
0003181341.tif 000003
【図２】
0003181341.tif 000004
【図３】
0003181341.tif 000005
【図４】
0003181341.tif 000006
【図５】
0003181341.tif 000007
【図６】
0003181341.tif 000008
【図７】
0003181341.tif 000009
【図８】
0003181341.tif 000010
【図９】
0003181341.tif 000011